(57)【要約】      （修正有）【課題】未使用、保管時のコンパクト化、省スペース化、可搬性の容易化を実現できるようにする。【解決手段】掲示物支持装置１は、中空円筒状の基体２と、基体２の内部に出し入れ自在に収納された支持柱３と、支持柱３を任意の引き出し位置で固定する支持柱固定手段４と、掲示物５の上端部を支持する上方掲示物支持部材６と下端部を支持する下方掲示物支持部材７を有している。上方掲示物支持部材６の支持部材本体と下方掲示物支持部材７の支持部材本体はそれぞれ支持柱３に一体に設けられたネジとナットにより固定され、未使用時に取り外された各支持部材本体は支持柱３の収納空間９に収納され、この状態で支持柱３が基体２の内部に埋没状態に収容される。【選択図】      図１
2004198619.tif 000002
【特許請求の範囲】
【請求項１】
掲示物を支持する掲示物支持装置において、
中空で柱状をなす基体と、該基体の内部に収容され該基体の長手方向に出入自在で収納空間を有する支持柱と、引き出された上記支持柱を上記基体に対して位置固定する支持柱固定手段と、上記支持柱に任意に固定可能であり掲示物を支持する掲示物支持部材を有し、上記掲示物支持部材を上記収納空間に収納した状態で上記支持柱を上記基体内に埋没状態に収容可能であることを特徴とする掲示物支持装置。
【請求項２】
請求項１記載の掲示物支持装置において、
上記収納空間が、上記支持柱の長手方向と略直交する方向から上記掲示物支持部材を収納可能な形状を有していることを特徴とする掲示物支持装置。
【請求項３】
請求項１又は２記載の掲示物支持装置において、
上記支持柱がチャンネル材で形成された部分を有しており、該チャンネル材で形成された部分の内部を上記収納空間としたことを特徴とする掲示物支持装置。
【請求項４】
請求項１乃至３のうちの何れか１つに記載の掲示物支持装置において、
上記掲示物支持部材は、掲示物の上下を支持する位置にそれぞれ設けられていることを特徴とする掲示物支持装置。
【請求項５】
請求項１乃至４のうちの何れか１つに記載の掲示物支持装置において、
上記掲示物支持部材は、掲示物のサイズに応じて上記支持柱の長手方向に移動可能に上記支持柱に支持固定されていることを特徴とする掲示物支持装置。
【請求項６】
請求項１記載の掲示物支持装置において、
上記掲示物支持部材が、上記支持柱の長手方向と略直交する方向に延び且つ掲示物の下端を安定状態に支える長さを有する支持部材本体と、該支持部材本体を上記支持柱に着脱自在に固定ないし係止する留め具を有していることを特徴とする掲示物支持装置。
【請求項７】
請求項６記載の掲示物支持装置において、
上記支持部材本体が、掲示物の厚み方向の位置ずれを阻止する断面形状を有していることを特徴とする掲示物支持装置。
【請求項８】
請求項６又は７記載の掲示物支持装置において、
上記留め具が、ネジとナットを有し、該ネジとナットのいずれか一方が上記支持柱に一体に設けられ且つ他方が上記支持部材本体に一体に設けられ、上記ネジとナットのいずれか一方が回転自在に設けられていることを特徴とする掲示物支持装置。
【請求項９】
請求項８記載の掲示物支持装置において、
上記ネジとナットのうち回転自在に設けられた方は、回転操作用の摘み部を有していることを特徴とする掲示物支持装置。
【請求項１０】
請求項６乃至９のうちの何れか１つに記載の掲示物支持装置において、
上記支持柱の引き出し方向先端側に掲示物の上端部を係合する係合部が形成され、掲示物の上端部は上記係合部に係合するのみで支持されることを特徴とする掲示物支持装置。
【請求項１１】
請求項６乃至１０のうちの何れか１つに記載の掲示物支持装置において、
上記収納空間が上記支持部材本体を上記支持柱の長手方向と略直交する方向から収納可能な形状を有し且つ該収納空間には上記支持部材本体の収納状態を保持する弾性部材が設けられていることを特徴とする掲示物支持装置。
【請求項１２】
請求項８又は９記載の掲示物支持装置において、
上記収納空間が上記支持部材本体を上記支持柱の長手方向と略直交する方向から収納可能な形状を有し、上記支持柱にその長手方向に延びる長穴が形成され、上記ネジとナットのうち上記支持柱に一体に設けられる方は上記長穴を移動可能に設けられ、上記ネジとナットを外れない状態に緩めて上記掲示物支持部材が回転可能な状態で該掲示物支持部材を上記支持柱の長手方向に移動可能であることを特徴とする掲示物支持装置。
【発明の詳細な説明】
【０００１】
【発明の属する技術分野】
本発明は、プラカード（ボードのみの意）や料理品目等を記したお品書き板、不動産や商品の情報を記載した広告プレート等の掲示物を支持する掲示物支持装置に関する。
【０００２】
【従来の技術】
この種の掲示物支持装置では、一般に矩形のボードないしプレート形状をなす上述のような掲示物を支持する支持部材を、柱状の基体に掲示物の上下を支持するように固定したものが知られている。
例えば、円柱又は角柱状のポール（基体）に、このポールの長手方向と直交するように延びる支持部材をネジや溶接、あるいは接着剤等により固定し、この支持部材に掲示物をネジ等により固定する構成となっている。上下の支持部材をＵ字状の断面を有する形状に形成し、掲示物の上下角部を係合した状態で横方向からスライドさせて嵌める方式のものも知られている。
特開２００２−２７８４８９号公報には、掲示物の一例としてののぼり旗を支持する装置が開示されている。これは、径の異なる複数の中空ロッドを組み込んで伸縮自在としたポールの上端部に、ポールの長手方向と直交するように延びる支持棒を固定し、この支持棒にのぼり旗の上端部をフックで吊り下げる構成を有している。
【０００３】
【特許文献１】
特開２００２−２７８４８９号公報
【特許文献２】
実公昭４６−２１９５７号公報
【０００４】
【発明が解決しようとする課題】
このような掲示物支持装置は、使用しないときは保管する必要があるため、掲示物を取り外した状態ではできるだけ保管スペースの少ないコンパクトな構造が望ましい。掲示物を取り外した状態で持ち運ぶ場合にもできるだけ嵩張らない方が望ましい。
ポールに支持部材を溶接や接着剤等により固定する構成では、支持部材の出っ張りを避けられないが、ネジ等によって支持部材をポールに着脱する構成では、支持部材を取り外してポールと同一方向に並べて紐等で束ねることで嵩張りを減らすことができ、保管の省スペース化、持ち運び時のコンパクト化をある程度実現できる。
【０００５】
しかしながら、取り外された掲示物支持部材はポールとは別体の部材であり、上述のように紐等で一体に束ねておく必要があるため、束ね作業が面倒であった。束ねずに単に並べて置いた場合には掲示物支持部材やネジ等が分散してしまう虞があり、部品管理上の面倒さがあった。
【０００６】
本発明は、未使用時のコンパクト化をより一層向上させることができるとともに、束ね作業の面倒さや部品管理上の面倒さを一切不要にできる掲示物支持装置の提供を、その主な目的とする。
【０００７】
【課題を解決するための手段】
本発明は、上記目的を達成するために、基体の内部に基体以外の全ての要素を収容できるようにするとともに、使用時には基体から引き出して容易に組み立てられるようにすることとした。
具体的には、請求項１記載の発明では、掲示物を支持する掲示物支持装置において、中空で柱状をなす基体と、該基体の内部に収容され該基体の長手方向に出入自在で収納空間を有する支持柱と、引き出された上記支持柱を上記基体に対して位置固定する支持柱固定手段と、上記支持柱に任意に固定可能であり掲示物を支持する掲示物支持部材を有し、上記掲示物支持部材を上記収納空間に収納した状態で上記支持柱を上記基体内に埋没状態に収容可能である、という構成を採っている。
【０００８】
請求項２記載の発明では、請求項１記載の掲示物支持装置において、上記収納空間が、上記支持柱の長手方向と略直交する方向から上記掲示物支持部材を収納可能な形状を有している、という構成を採っている。
【０００９】
請求項３記載の発明では、請求項１又は２記載の掲示物支持装置において、上記支持柱がチャンネル材で形成された部分を有しており、該チャンネル材で形成された部分の内部を上記収納空間とした、という構成を採っている。
【００１０】
請求項４記載の発明では、請求項１乃至３のうちの何れか１つに記載の掲示物支持装置において、上記掲示物支持部材は、掲示物の上下を支持する位置にそれぞれ設けられている、という構成を採っている。
【００１１】
請求項５記載の発明では、請求項１乃至４のうちの何れか１つに記載の掲示物支持装置において、上記掲示物支持部材は、掲示物のサイズに応じて上記支持柱の長手方向に移動可能に上記支持柱に支持固定されている、という構成を採っている。
【００１２】
請求項６記載の発明では、請求項１記載の掲示物支持装置において、上記掲示物支持部材が、上記支持柱の長手方向と略直交する方向に延び且つ掲示物の下端を安定状態に支える長さを有する支持部材本体と、該支持部材本体を上記支持柱に着脱自在に固定ないし係止する留め具を有している、という構成を採っている。
【００１３】
請求項７記載の発明では、請求項６記載の掲示物支持装置において、上記支持部材本体が、掲示物の厚み方向の位置ずれを阻止する断面形状を有している、という構成を採っている。
【００１４】
請求項８記載の発明では、請求項６又は７記載の掲示物支持装置において、上記留め具が、ネジとナットを有し、該ネジとナットのいずれか一方が上記支持柱に一体に設けられ且つ他方が上記支持部材本体に一体に設けられ、上記ネジとナットのいずれか一方が回転自在に設けられている、という構成を採っている。
【００１５】
請求項９記載の発明では、請求項８記載の掲示物支持装置において、上記ネジとナットのうち回転自在に設けられた方は、回転操作用の摘み部を有している、という構成を採っている。
【００１６】
請求項１０記載の発明では、請求項６乃至９のうちの何れか１つに記載の掲示物支持装置において、上記支持柱の引き出し方向先端側に掲示物の上端部を係合する係合部が形成され、掲示物の上端部は上記係合部に係合するのみで支持される、という構成を採っている。
【００１７】
請求項１１記載の発明では、請求項６乃至１０のうちの何れか１つに記載の掲示物支持装置において、上記収納空間が上記支持部材本体を上記支持柱の長手方向と略直交する方向から収納可能な形状を有し且つ該収納空間には上記支持部材本体の収納状態を保持する弾性部材が設けられている、という構成を採っている。
【００１８】
請求項１２記載の発明では、請求項８又は９記載の掲示物支持装置において、上記収納空間が上記支持部材本体を上記支持柱の長手方向と略直交する方向から収納可能な形状を有し、上記支持柱にその長手方向に延びる長穴が形成され、上記ネジとナットのうち上記支持柱に一体に設けられる方は上記長穴を移動可能に設けられ、上記ネジとナットを外れない状態に緩めて上記掲示物支持部材が回転可能な状態で該掲示物支持部材を上記支持柱の長手方向に移動可能である、という構成を採っている。
【００１９】
【発明の実施の形態】
以下、本発明の第１の実施形態を図１乃至図４に基づいて説明する。図１に示すように、本実施形態における掲示物支持装置１は、中空で円柱状をなす基体２と、この基体２の内部に収容され、基体２の長手方向に出し入れ自在に設けられた支持柱３と、引き出された支持柱３を基体２に対して所定位置で固定する支持柱固定手段４と、支持柱３に着脱自在に設けられ、掲示物５の上端部を支持する上方掲示物支持部材６と、同じく支持柱３に着脱自在に設けられ、掲示物５の下端部を支持する下方掲示物支持部材７を有している。
基体２はアルミニウム製の円柱パイプで形成されており、下端には合成樹脂製の円錐状の突起８が固定されている。掲示物支持装置１がプラカードとして用いられる場合には、床面に置く場合等に突起８の材質によって接触が緩和され、人体や他の部材との接触において傷付けにくく、安全性を高めることができる。突起８は中空の基体２の底面を塞ぐキャップ部材としても機能する。
【００２０】
支持柱固定手段４は、基体２の上端部外周面に形成された図示しないネジに螺合するネジ筒４ａと、このネジ筒４ａの内面のテーパによって絞られる図示しないスリット入りの且つテーパ面を有した中間部材を備えた周知の構成を有しており、ネジ筒４ａの回転操作によって支持柱３を任意の位置でロックできるようになっている。ネジ筒４ａの外面にはすべり止めのためのローレット加工が施されている。
支持柱固定手段４としては、支持柱３又は基体２にネジ穴を形成して止めネジで固定する構成としてもよい。
支持柱３はアルミニウム製のチャンネル材で形成されており、その内部は収納空間９として使用されている。収納空間９には支持柱３の長手方向に間隔をおいて、弾性部材としてのゴム部材１０、１１が接着等の手法により固定されており、これにより収納空間９は、支持柱３から取り外されたときの下方掲示物支持部材７を縦長状態に収納する下方収納空間９ａと、同じく支持柱３から取り外されたときの上方掲示物支持部材６を縦長状態に収納する上方収納空間９ｂに区画されている。
【００２１】
図２に示すように、上方掲示物支持部材６は、支持柱３に回転不能に固定されたネジ１２と、細幅プレート状の支持部材本体１３と、この支持部材本体１３に回転可能な状態で一体に設けられ、ネジ１２に螺合可能なナット１４を有している。ナット１４の内方側には環状溝１４ａが形成されており、この環状溝１４ａにＥリング１５が係合されて抜け止めがなされている。
ナット１４の外方側には回転操作用の大径の摘み部１６が一体に形成されている。ネジ１２とナット１４により上方掲示物支持部材６における留め具が構成されている。ナット１４を固定し、ネジ１２を回転させて螺合する構成としてもよい。
掲示物５の上端部にはネジ１２の先端部及びナット１４の移動を許容する透孔５ａが形成されており、摘み部１６を回してナット１４をネジ１２に螺合することにより掲示物５の上端部が支持される。すなわち、ドライバー等の工具無しに締め付けを行うことができるようになっている。
透孔５ａを形成せずに、支持部材本体１３の下端部で掲示物５の上端部を挟み込むだけで支持するようにしてもよい。
【００２２】
下方掲示物支持部材７は、支持柱３に回転可能な状態で一体に設けられたネジ１７と、断面略Ｖ字形の支持部材本体１８と、この支持部材本体１８に回転不能に一体に固定され、ネジ１７に螺合するナット１９を有している。ナット１９は支持部材本体１８の中央部に設けられている。
ネジ１７は、ナット１９が螺合するネジ軸２０と、このネジ軸２０の外方側に一体に形成された回転操作用の大径の摘み部２１を有している。ネジ軸２０の内方側には環状溝２０ａが形成されており、この環状溝２０ａにＥリング２２が係合されて抜け止めがなされている。ネジ１７とナット１９により下方掲示物支持部材７における留め具が構成されている。ネジ１７を固定し、ナット１９を回転させて螺合する構成としてもよい。
【００２３】
ナット１９をネジ軸２０の先端部に当てた状態で摘み部１７を回すことにより、ネジ軸２０とナット１９が螺合し、支持部材本体１８が支持柱３に固定される。すなわち、上方掲示物支持部材６と同様に、ドライバー等の工具無しに締め付けを行うことができるようになっている。
支持部材本体１８に掲示物５の下端部を落とし込むことにより掲示物５の下端部は支持部材本体１８に支持される。支持部材本体１８は、支持柱３の長手方向と略直交する方向に延び且つ掲示物５の下端を安定状態に支える長さを有しており、且つ、掲示物５の厚み方向（矢印Ｎ方向）の位置ずれを阻止する断面形状を有している。本実施形態では厚み方向の位置ずれを阻止する断面形状として、上述のようにＶ字形状を採用している。
【００２４】
支持部材本体１８の断面形状としてはＵ字形状でもよいが、Ｖ字形状の場合、厚みの異なる掲示物５Ａ、５Ｂ等のいずれにおいても下端をガタツキ無くフィットさせることができる利点を有している。
お品書き板や公告プレート等のように定位置に置かれる掲示物の場合には支持部材本体１８の断面形状はＬ字状でも、さらには単なる平板形状でもよい。
図２において、符号２３は支持柱３の下端部に固定された円筒部材を示している。円筒部材２３は、上述した支持柱固定手段４におけるテーパ絞り機能を効果的に得るための部材である。符号２４は、取り外した全ての部材を収納して支持柱３を基体２内に押し込んだときの押し込み位置を制限するストッパを示しており（図１では省略）、ストッパ２４は引き抜き用環２４ａを一体に有している。
【００２５】
掲示物支持装置１を使用しない場合又は持ち運ぶ場合には、上方掲示物支持部材６と下方掲示物支持部材７は取り外され、掲示物５も外される。取り外された下方掲示物支持部材７の支持部材本体１８は、図３に示すように、下方収納空間９ａに支持柱３の長手方向と略直交する方向（支持柱３の径方向）から、支持柱３の長手方向に沿った縦長状態で挿入され、ゴム部材１０とゴム部材１１の間に押し込まれ、その弾性力で保持される。ゴム部材１０とゴム部材１１のいずれか一方を金属等の剛体としても弾性保持機能は得られる。
上方収納空間９ｂにおける支持柱３の内面には、マグネットシート２５が貼り付けられており、鉄製（磁性体）の支持部材本体１３は磁力で保持される。支持部材本体１８も磁力で保持するようにしてもよい。
取り外された支持部材本体１８と支持部材本体１３は単に収納空間９内に放り込むように収納してもよいが、支持柱３を基体２から引き出したときに不意に落下することがあるため、上述のように弾性力や磁力等により位置決め状態に保持するようにしている。
【００２６】
図４は、支持部材本体１３、支持部材本体１８を収納空間９に収納して支持柱３を基体２に押し込んだ状態を示している。
このように、掲示物５を支持するための全ての要素を基体２の内部に整然と収容することができ、保管時又は持ち運び時の容積は実質的に基体２のみの容積となり、コンパクト化、省スペース化を実現できる。
本実施形態では支持柱３及び基体２を軽量材質のアルミニウム材で形成しているので、掲示物支持装置１全体の軽量化をも同時に実現できる。
【００２７】
以下に他の実施形態を説明するが、第１の実施形態と同一部分は同一符号で示し、特に必要が無い限り既にした構成上及び機能上の説明は省略して要部のみ説明する。
下方収納空間９ａにおける支持部材本体１８の保持は、図５に示すように、バネ２６の弾性による構成としてもよい（第２の実施形態）。図５において、符号２７はバネ座を、２８は突き当て板を示す。
【００２８】
基体２を定位置に固定した状態で使用される掲示物支持装置１に用いられる、例えばお品書き板や公告プレート等の掲示物の場合には、プラカード等のように揺れ動く作用がほとんど生じないので、掲示物の上端部は単に支えるだけでもよい。
このような観点から、例えば図６に示すように、支持柱３の両側板の上端部に斜め上方に延びる係合凹部３ａを形成し、この係合凹部３ａに掲示物２９の上端部を挿入して係合するだけの支持構成としてもよい（第３の実施形態）。
同様の観点から、支持柱３の上端部にフックを形成して掲示物の上端部を単に引っ掛けたり、クリップを設けて単に挟むだけの支持構成としてもよい。
掲示物５が、お品書き板や公告プレート等の定位置使用タイプの場合には、基体２は例えばコンクリート台の支持穴に下端部を挿入して使用され、あるいは、植え込み等の土中に下端部を突き刺して使用される。
掲示物支持装置１がプラカードとして用いられる場合には、基体２は柄として機能する。
【００２９】
図７及び図８に第４の実施形態を示す。本実施形態では、上方掲示物支持部材が掲示物５のサイズに応じてその支持位置を調整可能であることを特徴としている。図７に示すように、本実施形態における上方掲示物支持部材６Ａは、細幅の帯板状の支持部材本体３２と、該支持部材本体３２を支持柱３に固定する留め具としての固定ネジ３３を有している。支持部材本体３２の上部には略Ｕ字状のフック部３２ａが折り曲げて形成されており、フック部３２ａの先端３２ａ―１は掲示物５の上端部を挿入しやすいように外方へ曲げられている。フック部３２ａの支持機能を良好にするために、支持柱３の上方部はその幅ｗが下方部より短く設定されている。
固定ネジ３３は、ネジ軸３３ａと、摘み部３３ｂを有しており、ネジ軸３３ａを支持部材本体３２のネジ穴３２ｂに螺合することにより固定される。符号３３ｃは座金を示す。
【００３０】
支持柱３の、収納空間９の開口側と反対側の面に対応する側板３ｂの上方部には、固定ネジ３３の上下移動を可能にする長穴３４が形成されている。従って固定ネジ３３を緩めて支持部材本体３２を上げ下げすることにより、二点鎖線で示すように、掲示物５のサイズに応じて上方支持位置を調整することができる。
本実施形態における支持部材本体３２は、下方掲示物支持部材７の支持部材本体１８の収納空間９内での保持機能を兼ねている。
図８に示すように、上方掲示物支持部材６Ａの収納空間９へのへの収納は、掲示物５を取り外した後固定ネジ３３を緩めて下方へずらすことによりなされる。支持部材本体３２の下端部にはＬ字状の保持片３２ｃが形成されており、この保持片３２ｃで支持部材本体１８の上端を押えた（当接させた）状態で固定ネジ３３を固定すれば、支持部材本体３２自体の収納空間９内での保持はもちろんのこと、支持部材本体１８の保持も同時に行なうことができ、図３で示したゴム部材１１や図５で示した突き当て板２８等の支持部材本体１８に対する保持部材を不要にできる利点を有している。なお、支持部材本体３２の下端部はＬ字状にしなくても保持機能は得られる。
【００３１】
次に、図９乃至図１１に基づいて第５の実施形態を説明する。本実施形態では、下方掲示物支持部材７が上下方向に調整可能に支持されていることを特徴としている。図９に示すように、支持柱３の収納空間９の開口側と反対側の面には、ネジ１７を上下方向（支持柱３の長手方向）に移動可能とする長穴３０が形成されている。ネジ１７の移動により支持部材本体１８を任意の位置に固定できるので、掲示物５のサイズに応じて支持部材本体１８の固定位置を可変することができ、掲示物５のサイズに拘わらず最適な支持状態を得ることができる。
これに加えて、本実施形態では、ゴム部材１０等の支持部材本体１８の収納保持構成を不要にできる機能を有している。その理由を以下に説明する。
【００３２】
掲示物５を取り外す場合、下方掲示物支持部材７におけるネジ１７とナット１９の螺合を完全に解除せず、図１０に示すように、掲示物５を取り外した後、支持柱３に対する固定を緩めた状態で下方掲示物支持部材７を上方に移動させる。その後、図１１に示すように、支持部材本体１８が所定の収納位置に位置した状態で支持部材本体１８を支持柱３の長手方向に沿うように回転させ、その状態で摘み部１７を回してネジ１７とナット１９の螺合を進行させる。ナット１９の軸心に対応する支持部材本体１８の両側板にはネジ１７のネジ軸２０を通す穴が形成されており（図示せず）、ネジ１７の回転操作に伴って支持部材本体１８は二点鎖線で示すように下方収納空間９ａに収納される。
本実施形態によれば、下方収納空間９ａにおいて支持部材本体１８を保持するための部材をネジ１７及びナット１９が兼ねるので、構成の簡易化を図ることができる。
【００３３】
上記各実施形態では、下方掲示物支持部材７の支持部材本体１８をネジで支持柱３に固定する構成を示したが、一般に定位置に置かれるお品書き板や公告プレート等の掲示物の場合にはその自重を支えるだけでよいので、支持部材本体１８の固定強度はあまり必要ではない。
このような観点から、例えば図１２に示すように、支持柱３の支持部材本体１８の取付部位に係合穴３１ａを有するプレート３１を固定し、支持部材本体１８の取付面に例えば切り起こしにより係合片１８ａを形成してこの係合片１８ａを係合穴３１ａに係合してワンタッチ操作で固定するようにしてもよい（第６の実施形態）。
定位置に置かれるお品書き板や公告プレート等の掲示物の場合には、上端部は必ずしも支持部材で支持する必要はなく、単に支持柱３に立て掛けるだけでもよい。
【００３４】
上記各実施形態では、支持柱３をチャンネル材で形成したが、パイプ材で形成し、ネジ１２や支持部材本体１３等を全て取り外してパイプ材の中に挿入して収納する構成としてもよい。また、ネジ１２、ネジ１７が支持柱３に常時取り付けられた締付工具不要の構成としたが、もちろん、ドライバー等の締付工具で締め付ける構成としてもよく、この場合、締付工具自体も収納空間９に収納するようにしてもよい。
支持柱３や基体２の材質は上記に限定される趣旨ではなく、合成樹脂等種々のものを採用できる。
基体２に、特開２００２−２７８４８９号公報等に開示されているような伸縮ロッド構成を採用すれば、支持柱３の引き出し量の調整では対応できない掲示物５の高さ調整を容易に行うことができる。
【００３５】
【発明の効果】
請求項１記載の発明によれば、掲示物を支持する掲示物支持装置において、中空で柱状をなす基体と、該基体の内部に収容され該基体の長手方向に出入自在で収納空間を有する支持柱と、引き出された上記支持柱を上記基体に対して位置固定する支持柱固定手段と、上記支持柱に任意に固定可能であり掲示物を支持する掲示物支持部材を有し、上記掲示物支持部材を上記収納空間に収納した状態で上記支持柱を上記基体内に埋没状態に収容可能である構成としたので、掲示物支持装置の保管時のコンパクト化、省スペース化、可搬性の容易化を実現できる。
【００３６】
請求項２記載の発明によれば、請求項１記載の掲示物支持装置において、上記収納空間が、上記支持柱の長手方向と略直交する方向から上記掲示物支持部材を収納可能な形状を有している構成としたので、収納操作を容易且つ迅速に行うことができる。
【００３７】
請求項３記載の発明によれば、請求項１又は２記載の掲示物支持装置において、上記支持柱がチャンネル材で形成された部分を有しており、該チャンネル材で形成された部分の内部を上記収納空間とした構成としたので、収納空間を形成する必要が無く、製造コストを低減できる。
【００３８】
請求項４記載の発明によれば、請求項１乃至３のうちの何れか１つに記載の掲示物支持装置において、上記掲示物支持部材は、掲示物の上下を支持する位置にそれぞれ設けられている構成としたので、掲示物を強固に支持することができる。
【００３９】
請求項５記載の発明によれば、請求項１乃至４のうちの何れか１つに記載の掲示物支持装置において、上記掲示物支持部材は、掲示物のサイズに応じて上記支持柱の長手方向に移動可能に上記支持柱に支持固定されている構成としたので、掲示物のサイズに拘わらず常に最適な支持状態を得ることができる。
【００４０】
請求項６記載の発明によれば、請求項１記載の掲示物支持装置において、上記掲示物支持部材が、上記支持柱の長手方向と略直交する方向に延び且つ掲示物の下端を安定状態に支える長さを有する支持部材本体と、該支持部材本体を上記支持柱に着脱自在に固定ないし係止する留め具を有している構成としたので、掲示物を安定に支持することができる。
【００４１】
請求項７記載の発明によれば、請求項６記載の掲示物支持装置において、上記支持部材本体が、掲示物の厚み方向の位置ずれを阻止する断面形状を有している構成としたので、掲示物の支持状態の安定度をさらに高めることができる。
【００４２】
請求項８記載の発明によれば、請求項６又は７記載の掲示物支持装置において、上記留め具が、ネジとナットを有し、該ネジとナットのいずれか一方が上記支持柱に一体に設けられ且つ他方が上記支持部材本体に一体に設けられ、上記ネジとナットのいずれか一方が回転自在に設けられている構成としたので、ネジ又はナットを単体部品に分離して扱う必要がないので、部品管理の煩わしさを無くすことができる。
【００４３】
請求項９記載の発明によれば、請求項８記載の掲示物支持装置において、上記ネジとナットのうち回転自在に設けられた方は、回転操作用の摘み部を有している構成としたので、ドライバー等の工具を不要にでき、組み立て、分解作業を容易にできる。
【００４４】
請求項１０記載の発明によれば、請求項６乃至９のうちの何れか１つに記載の掲示物支持装置において、上記支持柱の引き出し方向先端側に掲示物の上端部を係合する係合部が形成され、掲示物の上端部は上記係合部に係合するのみで支持される構成としたので、支持強度があまり必要でない掲示物の支持操作を容易にできる。
【００４５】
請求項１１記載の発明によれば、請求項６乃至１０のうちの何れか１つに記載の掲示物支持装置において、上記収納空間が上記支持部材本体を上記支持柱の長手方向と略直交する方向から収納可能な形状を有し且つ該収納空間には上記支持部材本体の収納状態を保持する弾性部材が設けられている構成としたので、支持部材本体を容易に且つ位置決めした状態で整然と収納でき、支持柱を基体から引き出したときに支持部材本体が不意に落下することを防止できるとともに、組み立て作業を容易にできる。
【００４６】
請求項１２記載の発明によれば、請求項８又は９記載の掲示物支持装置において、上記収納空間が上記支持部材本体を上記支持柱の長手方向と略直交する方向から収納可能な形状を有し、上記支持柱にその長手方向に延びる長穴が形成され、上記ネジとナットのうち上記支持柱に一体に設けられる方は上記長穴を移動可能に設けられ、上記ネジとナットを外れない状態に緩めて上記掲示物支持部材が回転可能な状態で該掲示物支持部材を上記支持柱の長手方向に移動可能である構成としたので、掲示物のサイズに拘わらず常に最適な支持状態を得ることができる。
また、支持部材本体を取り外すことなく且つ収納保持部材を別途設けることなく収容できるので、構成の簡易化を図ることができる。
【図面の簡単な説明】
【図１】本発明の第１の実施形態における掲示物支持装置の使用状態の斜視図である。
【図２】掲示物支持部材の組み立て状態を示す概要断面図である。
【図３】掲示物支持部材を収納空間に収納した状態を示す要部断面図である。
【図４】掲示物支持部材を収納した支持柱を基体の内部に埋没状態に収容した状態を示す図である。
【図５】第２の実施形態における収納空間内での収納保持構造を示す要部断面図である。
【図６】第３の実施形態における掲示物の上端部支持構造を示す図である。
【図７】第４の実施形態における上方掲示物支持部材の構造を示す概要断面図である。
【図８】第４の実施形態における上方掲示物支持部材及び下方掲示物支持部材を収納した状態を示す概要断面図である。
【図９】第５の実施形態における支持柱に形成された長穴を示す要部側面図である。
【図１０】第５の実施形態において下方掲示物支持部材を緩めた状態を示す要部断面図である。
【図１１】第５の実施形態において下方掲示物支持部材を上昇させた後収納する状態を示す要部断面図である。
【図１２】第６の実施形態における掲示物支持部材の取付構造を示す要部斜視図である。
【符号の説明】
２  基体
３  支持柱
３ａ  係合部としての係合凹部
４  支持柱固定手段
５  掲示物
６、６Ａ  掲示物支持部材としての上方掲示物支持部材
７  掲示物支持部材としての下方掲示物支持部材
９  収納空間
１０、１１  弾性部材としてのゴム部材
１２、１７  ネジ
１４、１９  ナット
１６、２１  摘み部
１８  支持部材本体
２６  弾性部材としてのバネ
３０  長穴
【図１】
2004198619.tif 000003
【図２】
2004198619.tif 000004
【図３】
2004198619.tif 000005
【図４】
2004198619.tif 000006
【図５】
2004198619.tif 000007
【図６】
2004198619.tif 000008
【図７】
2004198619.tif 000009
【図８】
2004198619.tif 000010
【図９】
2004198619.tif 000011
【図１０】
2004198619.tif 000012
【図１１】
2004198619.tif 000013
【図１２】
2004198619.tif 000014